(57)【要約】【課題】扱胴５の頭部５７から胴部２８に穀稈を受継ぐときの負荷変動を低減でき、扱胴５の駆動に必要な動力を低減でき、駆動効率の向上並びに耐久性の向上などを図る。【解決手段】圃場の穀稈を刈取る刈刃２１並びに刈取った穀稈を掻込む掻込み部材２２などを備える刈取部１０と、扱胴５及び選別機構６を備える脱穀部４を設けると共に、多条の螺旋形取入羽根５６を扱胴５前側の頭部５７外周に設け、螺旋形送り羽根２９を扱胴５の胴部２８外周に設けるコンバインにおいて、扱胴５の胴部２８前側の送り羽根２９ピッチを、胴部２８後側の送り羽根２９のピッチよりも小さくすることを特徴とする。【選択図】      図８
2004267081.tif 000002
【特許請求の範囲】
【請求項１】
圃場の穀稈を刈取る刈刃並びに刈取った穀稈を掻込む掻込み部材などを備える刈取部と、扱胴及び選別機構を備える脱穀部を設けると共に、多条の螺旋形取入羽根を扱胴前側の頭部外周に設け、螺旋形送り羽根を扱胴の胴部外周に設けるコンバインにおいて、扱胴の胴部前側の送り羽根ピッチを、胴部後側の送り羽根のピッチよりも小さくすることを特徴とするコンバイン。
【請求項２】
扱胴の頭部外周に設ける２条の取入羽根に、扱胴の胴部前側で２条の送り羽根を連結させ、胴部前側の２条の送り羽根の一方を胴部後側に延設させることを特徴とする請求項１に記載のコンバイン。
【発明の詳細な説明】
【０００１】
【発明の属する技術分野】
本発明は例えば稲・麦・大豆など穀物を刈取って脱穀処理するコンバインに関する。
【０００２】
【従来の技術】
従来、圃場の穀稈を刈取る刈刃並びに刈取った穀稈を掻込む掻込み部材などを備える刈取部と、扱胴及び選別機構を備える脱穀部を設けると共に、多条の螺旋形取入羽根を扱胴前側の頭部外周に設け、螺旋形送り羽根を扱胴の胴部外周に設ける技術がある。（例えば、特許文献１参照）
【０００３】
【特許文献１】実開平５−６８２３６号公報
【０００４】
【発明が解決しようとする課題】
前記従来技術は、送り羽根に設ける扱歯の設置間隔または逃げ角を扱胴の胴部の前側と後側とで異ならせていたから、胴部前側での脱粒機能を高くすることができるが、胴部の全体で送り羽根が同一ピッチであるから、前記ピッチを小さくして穀稈の送りを遅くすると、藁の排出が効率良く行い得ない一方、前記ピッチを大きくしたり、２条の取入羽根に対して１条の送り羽根を設けることにより、藁の排出効率を高くすることができるが、取入羽根から送り羽根に穀稈を受継ぐときの負荷変動が大きくなり、扱胴を駆動するのに大きな動力を必要とする等の問題がある。
【０００５】
【課題を解決するための手段】
然るに、本発明は、請求項１の如く、圃場の穀稈を刈取る刈刃並びに刈取った穀稈を掻込む掻込み部材などを備える刈取部と、扱胴及び選別機構を備える脱穀部を設けると共に、多条の螺旋形取入羽根を扱胴前側の頭部外周に設け、螺旋形送り羽根を扱胴の胴部外周に設けるコンバインにおいて、扱胴の胴部前側の送り羽根ピッチを、胴部後側の送り羽根のピッチよりも小さくするもので、扱胴の頭部から胴部に穀稈を受継ぐときの負荷変動を低減し得、扱胴の駆動に必要な動力を低減し得、駆動効率の向上並びに耐久性の向上などを図り得るものである。
【０００６】
また、請求項２の如く、扱胴の頭部外周に設ける２条の取入羽根に、扱胴の胴部前側で２条の送り羽根を連結させ、胴部前側の２条の送り羽根の一方を胴部後側に延設させるもので、穀粒の漏下率が高い扱胴の前側で２条の送り羽根により脱粒させるから、扱胴の負荷変動の低減並びに脱穀効率の向上などを行い得ると共に、扱胴の後側で１条の送り羽根によって藁を速やかに送出し得、扱胴の負荷の軽減などを行い得、駆動効率の向上並びに耐久性の向上などを図り得るものである。
【０００７】
【発明の実施の形態】
以下、本発明の実施例を図面に基づいて詳述する。図１はコンバイン全体の側面図、図２は同平面図であり、図中１は走行クローラ２を装設したトラックフレーム３に装備する機台、４は軸流式のスクリュ形扱胴５及び受網６及び選別機構７などを備えていて前記機台１に搭載する脱穀部、９は揚穀筒８を介して取出す脱穀部４の穀粒を溜める穀物タンク、１０は前記脱穀部４の下部前方に油圧シリンダ１１を介して昇降可能に装設する刈取部、１２は運転席１３及び運転操作部１４を備えて前記穀物タンク９の前方に配設させる運転キャビン、１５は前記穀物タンク９の後方に備えていてエンジン１６を内設するエンジン部、１７は前記穀物タンク９内の穀粒を取出す上部穀粒搬出オーガである。
【０００８】
そして、図３に示す如く、前記刈取部１０は、未刈り穀稈を取入れる穀物刈取ヘッダー１８と、該ヘッダー１８の後部略中央に連結させて刈取穀稈を脱穀部４に送給するフィーダハウス１９によって構成すると共に、未刈り穀稈掻込み用リール２０と、往復駆動型刈刃２１と、穀稈掻込オーガ２２とを前記穀物ヘッダー１８に備え、前記ヘッダー１８に取込まれる刈取穀稈をフィーダハウス１９に内設する供給チェンコンベア２３を介し脱穀部４に送り込んで脱穀処理するように構成している。なお、図中２４はセカンドモアである。
【０００９】
さらに、図４に示す如く、前記スクリュ形扱胴５は、脱穀部４前後長と略等しい長さの円筒形胴部２８と、この胴部２８外周に巻装して放射状に立設させ、本発明に係る後述する扱歯を取付ける螺旋形送り羽根２９と、前記胴部２８の後端外周に設ける排塵突起３０とを備えるもので、前記スクリュ形扱胴５を機体前後方向に軸支し、前記フィーダハウス１９に連通する扱室３１前側の投入口３２に扱胴５前端部を臨ませて設けると共に、扱室３１後側の排塵口３３に扱胴５の後端部を臨ませるもので、前記排塵口３３を除く前記扱胴５下側に受網６を張設し、フィーダハウス１９から刈取り穀稈を全量投入して脱穀するように構成している。
【００１０】
またさらに、前記選別機構６を構成する前後の揺動選別盤３４・３５を備え、揺動アーム３６を介して前後方向に前後選別盤３４・３５を揺動駆動すると共に、前記扱胴５前部下方に位置させるフィードパン３７と、穀物漏下量を調節自在な第１チャフシーブ３８と、そのチャフシーブ３８下方に設けるグレンシーブ３９とを前選別盤３４に設ける一方、前記チャフシーブ３８後側に連設する第２チャフシーブ４１と、一番及び二番流穀板４４・４５とを後揺動選別盤３５に設けている。
【００１１】
また、第１チャフシーブ３８及びグレンシーブ３９の下方に第１及び第２風路４７・４８を介して選別風を供給する唐箕ファン４９と、グレンシーブ３９からの穀粒を受取って揚穀筒８に送出する一番樋５０及び一番コンベア５１と、二番流穀板４５からの還元物を前選別盤３４上に送出する二番樋５３及び二番コンベア５４と、前記チャフシーブ４１後端を臨ませる三番口５５とを備え、一番樋５０の穀粒をタンク８に、また二番樋５３の還元物をフィードパン３７に送出するように構成している。
【００１２】
さらに、図４乃至図７に示す如く、圃場の穀稈を刈取る刈刃２１並びに刈取った穀稈を掻込む掻込み部材である掻込オーガ２２などを備える刈取部１０と、扱胴５及び選別機構６を備える脱穀部４を設けると共に、多条の螺旋形取入羽根５６を扱胴５前側の頭部５７外周に設け、螺旋形送り羽根２９を扱胴５の胴部２８外周に設けるコンバインにおいて、扱胴５を設ける扱室３１前側に配設する前部送塵弁５９の開度を、後側に配設する後部送塵弁６０の開度よりも大きくする。そして、扱胴５前側での穀稈送り速度を早くして脱粒漏下範囲を後側に拡大させ、かつ後側での藁送り速度を遅くして穀粒が機外に排出されるのを防止し、扱胴５の脱粒性能または塵発生量または所要動力などを適正に得る。
【００１３】
また、扱胴５前半の３分の１の部位Ｈに配設した２枚の前部送塵弁５９を、後半の３分の２の部位Ｌに配設した４枚の後部送塵弁６０の開度よりも５度大きくした開度Ｄとし、各弁５９・６０を１本の連結板６１に軸６２を介して回転自在に連結させると共に、前記の各送塵弁５９・６０を支点軸６３を介して扱室３１上面の脱穀天板６４に回転自在に軸支させ、脱穀天板６４の上面側で最前方の支点軸６３に送塵レバー６５を設け、ガイド板６６にレバー６５を係脱自在に係止させ、レバー６５操作により全ての送塵弁５９・６０の開度Ｐを同時に変更させる。
【００１４】
さらに、図４、図５、図８乃至図１０に示す如く、圃場の穀稈を刈取る刈刃２１並びに刈取った穀稈を掻込む掻込み部材である掻込オーガ２２などを備える刈取部１０と、扱胴５及び選別機構６を備える脱穀部４を設けると共に、多条の螺旋形取入羽根５６を扱胴５前側の頭部５７外周に設け、螺旋形送り羽根２９を扱胴５の胴部２８外周に設けるコンバインにおいて、扱胴５の胴部２８前側の送り羽根２９ピッチを、胴部２８後側の送り羽根２９のピッチよりも小さくし、扱胴５の頭部５７から胴部２８に穀稈を受継ぐときの負荷変動を低減させ、扱胴５の駆動に必要な動力を低減させるもので、扱胴５の頭部５７外周に設ける２条の取入羽根５６の後側に、扱胴５の胴部２８前側で２条の送り羽根２９・６７の前側を連結させ、胴部２８前側の２条の送り羽根２９・６７の一方の羽根２９を胴部２８後側に延設させ、穀粒の漏下率が高い扱胴５の前側で２条の送り羽根２９・６７により脱粒させ、扱胴５の負荷変動の低減並びに脱穀効率の向上などを行うと共に、扱胴５の後側で１条の送り羽根２９によって藁を速やかに送出させ、扱胴５の負荷の軽減などを行い、駆動効率の向上並びに耐久性の向上などを図る。
【００１５】
さらに、図１１乃至図１３に示す如く、圃場の穀稈を刈取る刈刃２１並びに刈取った穀稈を掻込む掻込み部材である掻込オーガ２２などを備える刈取部１０と、扱胴５及び選別機構６を備える脱穀部４を設けると共に、多条の螺旋形取入羽根５６を扱胴５前側の頭部５７外周に設け、螺旋形送り羽根２９を扱胴５の胴部２８外周に設けるコンバインにおいて、送り羽根２９に着脱自在に設けるオーガ板６８に、取付け穴６９を高さ違いに複数個所設け、高さ違いの取付け穴６９を用いてオーガ板６８を付け換え、送り羽根２９に対するオーガ板６８の取付け高さを変更させ、収穫する穀物の種類（稲、麦、大豆など）または品種または収穫時期などに対し、扱胴５の脱粒性能または塵発生量または所要動力などを適正に得る。
【００１６】
また、前記送り羽根２９に複数の扱歯７０を略等間隔にボルト７１止め固定させ、１本の扱歯７０を２本のボルト７１によって固定させ、前記ボルト７１によって取付け穴６９を介してオーガ板６８を送り羽根２９に固定させると共に、隣接するオーガ板６８端部を連結板７２によって連結させるもので、間隔の異なる複数の取付け穴７３を連結板７２に設け、各取付け穴７３のいずれかを介して連結板７２とオーガ板６８をボルト７４止め固定させ、オーガ板６８と連結板７２をボルト７４によって送り羽根２９に固定させる。
【００１７】
そして、取付け高さの異なる取付け穴６９を利用して図１１の低い位置または図１２の高い位置にオーガ板６８を送り羽根２９にボルト７１止め固定させると共に、間隔の異なる取付け穴７３を利用して連結板７２とオーガ板６８を送り羽根２９にボルト７４止め固定させると共に、オーガ板６８と連結板７２によって送り羽根２９を補強する一方、稲または麦または大豆など収穫作物の種類、或いは品種、或いは収穫時期などに合せて図１１または図１２のようにオーガ板６８と連結板７２を付け換え、送り羽根２９の作用高さを変更させて適応性を向上させる。
【００１８】
さらに、図１４、図１５は、前記穀物タンク９に代えてホッパー形タンク８０を設け、搬出オーガ１７を省き、籾受台８１に籾袋８２・８３を載せ、作業台８４に補助作業者が乗り、籾受棒８５に籾袋８２・８３を開口状態で支持させ、ホッパー形タンク８０の取出口８６から内部の穀粒を籾袋８２・８３に取出すもので、パンタグラフ動作する折畳み自在なＸ形リンク８７によって機台１上に籾受台８１を昇降自在に設け、籾受台８１の上昇時にＸ形リンク８７をフック８８によって係脱自在に固定させ、上昇位置の籾受台８１に３０キログラム用籾袋８２を載せる一方、下降位置の籾受台８１に６０キログラム用籾袋８３を載せ、各籾袋８２・８３のいずれかを用いて穀粒を取出すもので、籾袋８２・８３の大きさによって籾受台８１の高さを変更させ、補助作業者の労力軽減など作業性を向上させる。
【００１９】
【発明の効果】
以上実施例から明らかなように本発明は、請求項１の如く、圃場の穀稈を刈取る刈刃２１並びに刈取った穀稈を掻込む掻込み部材２２などを備える刈取部１０と、扱胴５及び選別機構６を備える脱穀部４を設けると共に、多条の螺旋形取入羽根５６を扱胴５前側の頭部５７外周に設け、螺旋形送り羽根２９を扱胴５の胴部２８外周に設けるコンバインにおいて、扱胴５の胴部２８前側の送り羽根２９ピッチを、胴部２８後側の送り羽根２９のピッチよりも小さくするもので、扱胴５の頭部５７から胴部２８に穀稈を受継ぐときの負荷変動を低減でき、扱胴５の駆動に必要な動力を低減でき、駆動効率の向上並びに耐久性の向上などを図ることができるものである。
【００２０】
また、請求項２の如く、扱胴５の頭部５７外周に設ける２条の取入羽根５６に、扱胴５の胴部２８前側で２条の送り羽根２９・６７を連結させ、胴部２８前側の２条の送り羽根２９の一方を胴部２８後側に延設させるもので、穀粒の漏下率が高い扱胴５の前側で２条の送り羽根２９・６７により脱粒させるから、扱胴５の負荷変動の低減並びに脱穀効率の向上などを行うことができると共に、扱胴５の後側で１条の送り羽根２９によって藁を速やかに送出でき、扱胴５の負荷の軽減などを行うことができ、駆動効率の向上並びに耐久性の向上などを図ることができるものである。
【図面の簡単な説明】
【図１】コンバインの側面図。
【図２】同平面図。
【図３】刈取部の側面図。
【図４】脱穀部の断面図。
【図５】扱胴の平面図。
【図６】扱胴と送塵弁の平面図。
【図７】送塵弁の平面図。
【図８】扱胴前部の平面図。
【図９】送り羽根の平面図。
【図１０】扱胴の正面図。
【図１１】送り羽根の正面図。
【図１２】図１１の取付け変更を示す説明図。
【図１３】図１２の分解説明図。
【図１４】籾受台の正面図。
【図１５】同側面図。
【符号の説明】
４        脱穀部
５        扱胴
６        選別機構
１０      刈取部
２１      刈刃
２２      掻込みオーガ（掻込み部材）
２８      胴部
２９・６７    送り羽根
５６      取入羽根
５７      頭部
【図１】
2004267081.tif 000003
【図２】
2004267081.tif 000004
【図３】
2004267081.tif 000005
【図４】
2004267081.tif 000006
【図５】
2004267081.tif 000007
【図６】
2004267081.tif 000008
【図７】
2004267081.tif 000009
【図８】
2004267081.tif 000010
【図９】
2004267081.tif 000011
【図１０】
2004267081.tif 000012
【図１１】
2004267081.tif 000013
【図１２】
2004267081.tif 000014
【図１３】
2004267081.tif 000015
【図１４】
2004267081.tif 000016
【図１５】
2004267081.tif 000017